(57)【要約】【課題】時刻が過去に補正されても履歴情報を正確に時系列に取得し、システム異常時などにおける解析を円滑に行う。【解決手段】時刻補正手段５によって時刻が現在より過去に補正された場合でも、それ以降の履歴は情報管理手段６からの指示によって別ファイルとして記憶手段７に記憶され、さらにファイル名には時刻補正前までに記憶されている履歴ファイルに続く連番が付与されることにより、ファイル名に付加されている連番から日時情報に惑わされることなく実際の状態の変化順に履歴情報を取得することができ、システム異常時などにおける解析を円滑に行うことができる。【選択図】図１
2006215606.tif 000002
【特許請求の範囲】
【請求項１】
時刻を計時する計時手段と、前記計時手段で計時した時刻を補正する時刻補正手段と、ネットワーク上の制御端末から受信した制御情報に時刻情報を付与したデータを、ファイル名として作成順に連番を付与し、所定期間を１ファイルとして記憶する記憶手段と、前記時刻補正手段により時刻が過去に補正された場合、時刻補正以降の制御履歴ファイルと、時刻補正前の制御履歴ファイルとを分けて別の履歴情報ファイルとして記憶するよう前記記憶装置に指示を出す情報管理手段とを備えたことを特徴とする遠隔制御装置。
【請求項２】
前記時刻補正手段により補正が行われ、情報管理手段により同じ日付の履歴ファイルができたことを知らせる表示手段を備えたことを特徴とする、請求項１に記載の遠隔制御装置。
【請求項３】
前記記憶装置にある履歴情報ファイルをファイル名に付与されている連番順に履歴情報として表示させる表示手段を備えたことを特徴とする、請求項１〜２のいずれかに記載の遠隔制御装置。
【請求項４】
表示手段に表示させる履歴情報を、ファイル名に付与されている連番順に表示させるか、同日付の履歴ファイルがある場合、番号の大きいファイルのみを表示させるか表示内容を切り替える表示切換手段を備えたことを特徴とする、請求項１〜３のいずれかに記載の遠隔制御装置。
【請求項５】
前記情報管理手段による機能の有無を任意に設定できる記憶方式設定手段備えたことを特徴とする、請求項１〜４に記載の遠隔制御装置。
【発明の詳細な説明】
【技術分野】
【０００１】
本発明は、ネットワーク接続される制御端末の遠隔制御装置に関するものである。
【背景技術】
【０００２】
従来、この種の遠隔監視装置では、例えば図５に記載された遠隔監視装置があった。
【０００３】
図５において、ネットワーク通信線１０１でネットワーク上に接続された空気調和機１０６を監視制御するコントローラ１０２は、空気調和機１０６から受信する制御情報に計時手段１０３が計時する時刻情報を付与したデータを、一定期間を１ファイルとして記憶装置１０５に保存している（例えば、特許文献１参照）。
【特許文献１】特開平６−２４１５４４号公報
【発明の開示】
【発明が解決しようとする課題】
【０００４】
しかしながら、前記従来の構成では、時刻補正手段１０４にて時刻を過去に補正され場合、補正後の時刻によっては時刻補正前より以前に作成されたファイルに履歴情報が追加、あるいは上書きされてしまい、履歴情報を取得した場合、上書きによる実際の履歴の消去、もしくは履歴データの順序の入れ替わりにより、正確な時系列的履歴として取得できないという課題を有していた。
【０００５】
本発明は前記従来の課題を解決するもので、時刻が過去に補正されても履歴情報を正確に時系列に取得し、システム異常時などにおける解析を円滑に行うことができる遠隔制御装置を提供することを目的とする。
【課題を解決するための手段】
【０００６】
前記従来の課題を解決するために、本発明の遠隔制御装置は、ファイル名として作成順に連番を付与し、一定期間を１ファイルとした履歴情報を記憶させると共に、時刻が過去に補正された場合、時刻補正以降の制御履歴ファイルと、時刻補正前の制御履歴ファイルとを分けて別の履歴情報ファイルとして記憶させるものである。
【０００７】
これによって、履歴情報を正確に時系列に取得し、システム異常時などにおける解析を円滑に行うことができる。
【発明の効果】
【０００８】
本発明の遠隔制御装置は、ファイル作成時はファイル名に作成順に連番を付与し、時刻が過去に補正された場合、時刻補正以降の制御履歴ファイルと、時刻補正前の制御履歴ファイルとを分けて別の履歴情報ファイルとして記憶させることで履歴情報を正確に時系列に取得することができ、システム異常時などにおけるシステム動作の解析を円滑に行うことができる。
【発明を実施するための最良の形態】
【０００９】
第１の発明は、時刻を計時する計時手段と、前記計時手段で計時した時刻を補正する時刻補正手段と、ネットワーク上の制御端末から受信した制御情報に時刻情報を付与したデータを、ファイル名として作成順に連番を付与し、一定期間を１ファイルとして記憶する記憶手段と、前記時刻補正手段により時刻が過去に補正された場合、時刻補正以降の制御履歴ファイルと、時刻補正前の制御履歴ファイルとを分けて別の履歴情報ファイルとして記憶するよう前記記憶装置に指示を出す情報管理手段を持つもので、この構成をなすこと
により、時刻が過去に補正されても履歴情報ファイル名に付与された連番より履歴情報を正確に時系列に取得することができ、システム異常時などにおける解析を円滑に行うことができる。
【００１０】
第２の発明は、特に、第1の発明の時刻補正手段により補正が行われ、情報管理手段により同じ日付の履歴ファイルができたことを知らせる表示手段を設けることにより、時刻補正によるファイル数の増加、記憶手段使用量の増加による不測の記憶手段の空き容量不足を未然に防ぐようシステム管理者に注意喚起を促し、履歴情報取得不能状態を回避することができる。
【００１１】
第３の発明は、特に第１〜２の発明の記憶装置にある履歴情報ファイルをファイル名に付与されている連番順に履歴情報として表示させる表示手段を持つもので、この構成をなすことにより特別な装置を用いて記憶装置から情報を取得することなく、円滑に履歴情報によるシステム状態の解析を行うことができる。
【００１２】
第４の発明は、特に第１〜３の発明の表示手段に表示させる履歴情報を、ファイル名に付与されている連番順に表示させるか、同日付の履歴ファイルがある場合、番号の大きいファイルのみを表示させるか表示内容を切り換える表示切換手段を持つもので、これにより通常の日付順による履歴か、実制御状態履歴か、必要に応じた情報を取得することができる。
【００１３】
第５の発明は、特に第１〜４の発明の情報管理手段による機能の有無を任意に設定できる記憶方式設定手段を持つもので、これにより、システムに適した履歴情報の解析を行うことができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における遠隔制御装置１のブロック図を示すものである。
【００１６】
図１において、遠隔制御装置１は、計時手段４、時刻補正手段５、情報管理手段６、記憶手段７から構成されている。
【００１７】
計時手段４は時刻を計時し、時刻補正手段５は計時手段４で計時した時刻を補正する。
【００１８】
記憶装置７は、ネットワーク２上の制御端末３（３Ａ、・・・、３ｎ）から受信した制御情報に計時手段４で計時した時刻情報を付与したデータを、ファイル名として作成順に連番を付与し、一定期間を１ファイルとして記憶する。
【００１９】
情報管理手段６は、時刻補正手段５により時刻が過去に補正された場合、時刻補正以降の制御履歴ファイルと、時刻補正前の制御履歴ファイルとを分けて別の履歴情報ファイルとして記憶するよう記憶手段７に指示を出す。
【００２０】
以上のように構成された遠隔制御装置１は、時刻補正手段５によって時刻が現在より過去に補正された場合でも、それ以降の履歴は情報管理手段６からの指示によって別ファイルとして記憶手段７に記憶され、さらにファイル名には時刻補正前までに記憶されている履歴ファイルに続く連番が付与される。
【００２１】
例えば、１日１ファイルとして記憶装置７に制御情報が記憶されるとし、時刻補正手段５によって２００４年１１月１９日１７時から同日１６時に時刻が補正された場合、時刻補正前の制御情報履歴はファイル名「２００４１１１９−１」で記憶されており、時刻補正後の履歴はファイル名「２００４１１１９−２」で記憶される。
【００２２】
従って、同日付同時刻の履歴情報は２つ存在するが、ファイル名に付加されている連番から日時情報に惑わされることなく実際の状態の変化順に履歴情報を取得することができ、システム異常時などにおける解析を円滑に行うことができる。
【００２３】
（実施の形態２）
図２は、本発明の第２の形態における遠隔制御装置１のブロック図を示すものである。図２において、実施の形態１で説明した部分については同じ符号を用い説明を省略する。表示手段８は、情報管理手段６からの指示により記憶手段７に同じ日付の履歴ファイルができたことを表示させる。
【００２４】
以上のように構成された遠隔制御装置１は、時刻補正により同日の履歴ファイルが複数できている状態にあることを表示手段８に表示することで、時刻補正によるファイル数の増加、記憶手段使用量の増加による不測の記憶手段の空き容量不足を未然に防ぐようシステム管理者に注意喚起を促し、履歴情報取得不能状態を回避することができる。
【００２５】
（実施の形態３）
図２は、本発明の第３の実施の形態における遠隔制御装置１のブロック図を示すものである。
【００２６】
図２において、実施の形態１、２で説明した部分については同じ符号を用い説明を省略する。
【００２７】
以上のように構成された遠隔制御装置１は、記憶手段７にある履歴情報ファイルをファイル名に付与されている連番順に履歴情報として表示手段８に表示させることで、特別な装置を用いて記憶手段７から情報を取得することなく、円滑に履歴情報によるシステム状態の解析を行うことができる。
【００２８】
（実施の形態４）
図３は、本発明の第４の実施の形態における遠隔制御装置１のブロック図を示すものである。
【００２９】
図３において、実施の形態１〜３で説明した部分については同じ符号を用い説明を省略する。
【００３０】
表示切換手段９は、表示手段８に表示させる履歴情報を、ファイル名に付与されている連番順に表示させるか、同日付の履歴ファイルがある場合、番号の大きいファイルのみを表示させるかを切り換える。
【００３１】
以上のように構成された遠隔制御装置1は、表示切換手段８により通常の日付順による履歴か、実制御状態履歴か、必要に応じた情報を記憶手段７から特別な装置を用いることなく取得することができる。
【００３２】
（実施の形態５）
図４は、本発明の第５の実施の形態における遠隔制御装置１のブロック図を示すものである。
【００３３】
図４において、実施の形態１〜４で説明した部分については同じ符号を用い説明を省略する。
【００３４】
記憶方式設定手段１０は、情報管理手段６による機能の有無を任意に設定できる。
【００３５】
以上のように構成された遠隔制御装置1は、記憶方式設定手段１０によって、時刻補正時の別ファイル保存処理の有無を記憶手段７の容量、システムの状況などにあわせて切り換えることができ、システムに最適な形で履歴情報の解析を行うことができる。
【産業上の利用可能性】
【００３６】
以上のように、本発明にかかる遠隔制御装置は、制御端末の制御情報履歴をファイル名として作成順に連番を付与し、一定期間を１ファイルとして履歴情報を記憶させると共に、時刻が過去に補正された場合、時刻補正以降の制御履歴ファイルと、時刻補正前の制御履歴ファイルとを分けて別の履歴情報ファイルとして記憶させることで、履歴情報を正確に時系列に取得し、システム異常時などにおける解析を円滑に行うことができるるので、空気調和機や照明設備等を制御する遠隔制御機器にも適用できる。
【図面の簡単な説明】
【００３７】
【図１】本発明の実施の形態１における制御計測装置のロック図
【図２】本発明の実施の形態２〜３における制御計測装置のブロック図
【図３】本発明の実施の形態４における制御計測装置のブロック図
【図４】本発明の実施の形態５における制御計測装置のブロック図
【図５】従来の制御計測装置のブロック図
【符号の説明】
【００３８】
１  遠隔制御装置
２  ネットワーク
３Ａ、３ｎ  制御端末
４  計時手段
５  時刻補正手段
６  情報管理手段
７  記憶手段
８  表示手段
９  表示切換手段
１０  記憶方式設定手段
【図１】
2006215606.tif 000003
【図２】
2006215606.tif 000004
【図３】
2006215606.tif 000005
【図４】
2006215606.tif 000006
【図５】
2006215606.tif 000007